(57)【特許請求の範囲】
【請求項１】
アース端子に電気的接続されたアース接点部及び固定接点端子の固定接点部を配置したシールド空間をベース上に設け、該シールド空間内に、固定接点部に対して接触開離自在で且つ固定接点部から開離しているときにアース接点部に接触するように可動接点ばね板を配置するとともに、該可動接点ばね板を支持しているカードを駆動する電磁石ブロックをシールド空間外のベースに配設し、ベースの上面側におけるシールド空間の両端側に一対の側壁を立設した高周波リレーにおいて、ベースの各側壁の上端には、両側壁が並ぶ方向におけるカードの両端部に設けた回動枢軸部を回動自在に枢支してカードをシールド空間上方に橋架配置する支持手段が形成され、回動枢軸部は先部に正面断面が円形の軸部を備えるとともに、軸部の背部に下部の正面断面が逆三角形であって下端を軸部の中心の高さ位置に一致させた回動支点部を一体に備え、支持手段は側壁の上端面で回動支点部の下端に当接する支点台と、支点台に連続して側壁の上端部に形成され上端開放であって両側内面に軸部外面を回動自在に接面させる角孔とからなることを特徴とする高周波リレー。
【請求項２】
上記軸部の断面円形部分を上下２分する位置よりも上方の周面に下部が一体となり、上面がカードの上面と同じ高さとなった補強リブを軸部の全長に亘って一体形成したことを特徴とする請求項１記載の高周波リレー。
【請求項３】
上記軸部の頂部に下部が一体となり、上面がカードの上面と同じ高さとなった補強リブを軸部の全長に亘って一体形成したことを特徴とする請求項１記載の高周波リレー。
【請求項４】
前記角孔の底部と、前記軸部の下端との間に隙間を設けて成ることを特徴とする請求項１乃至３の何れか記載の高周波リレー。
【請求項５】
前記ベース上に被着するケースの天井面に該カード側へ突出せる回動支持部を設け、前記ケースの天井面側に対向する前記カードの部位に、前記回動支持部がはまって該回動支持部のカード側の面で底部がカード自体の回転可能なように支持される凹み部を設けたことを特徴とする請求項１乃至４の何れか記載の高周波リレー。
【請求項６】
前記電磁石ブロックに備えられ、電磁石ブロックの励磁時に吸引されて動作する接極子により押される前記カードの位置と、電磁石ブロックの非励磁時に、前記カードを所定の位置へ復帰させる復帰ばねにより押される前記カードの位置とが該カードを挟んで対向する位置としたことを特徴とする請求項１乃至５の何れか記載の高周波リレー。
【請求項７】
上記カードは、成形のゲート跡が中心で且つ上記復帰ばねの配置位置よりも上方の位置となるようにゲートが設けられた成形金型を用いて成形された合成樹脂成形品からなることを特徴とする請求項６記載の高周波リレー。
【発明の詳細な説明】
【０００１】
【発明の属する技術分野】
本発明は、高周波リレーに関するものである。
【０００２】
【従来の技術】
従来の高周波リレーとしては図１２に示す構造のものがある。
【０００３】
この従来例は、リレー機構部を配設するベース１００と、このベース１００に被着されるケース１０１と、継鉄１０２，コイル１０３、鉄心１０４からなる電磁石ブロック１０５と、カードブロック１０６と、シールドボックス１０７と、カードブロック１０６側に設けられた可動接点ばね板１０８，１０８と、固定接点端子１０９ａ〜１０９ｄ等から構成されており、シールドボックス１０７は一枚の金属板から折り曲げ加工と打ち抜き加工によりボックス部とアース端子１１０…を一体形成している。
【０００４】
この従来例のカードブロック１０６は、略直方体状のカード１１２の長手方向一端部に設けた貫通孔に永久磁石１１３を介在させた一対の接極子１１４，１１４を配設し、一方の接極子１１４を上記電磁石ブロック１０５の鉄心１０４の一方の磁極面と継鉄１０２の一端部の先端部との間に位置させ、他方の接触子１１４の鉄心１０４の他方の磁極面と継鉄１０２の他端側の先端部との間に位置するように電磁石ブロック１０５上に載置する構成である。
【０００５】
図１３（ａ），（ｂ）はこの従来例のケース１０１を外した状態の平面図、正面断面図を示しており、この図から分かるようにこの従来例のカードブロック１０６のカード１１２は、平衡ばね１１５で吊られた状態にある。
【０００６】
【発明が解決しようとする課題】
ところで上記の従来例ではカードブロック１０６のカード１１２が、平衡ばね１１５で吊られた状態にあるため、高さの精度が出し難いという問題があった。
【０００７】
そのためこの従来例ではシールドボックス１０７の底部と可動接点ばね板１０８との距離Ｈを小さくできず、回路に流れる高周波信号とのマッチングが取れ難くという問題があった。
【０００８】
また固定接点端子１０９ａ〜１０９ｃの長さを長くしなければならず、その結果固定接点端子１０９ａ〜１０９ｃの垂直度の精度が低くなり、結果高周波特性がばらつくという問題があった。
【０００９】
本発明は、上述の問題点に鑑みて為されたもので、その目的とするところは、可動接点ばね板の配置高さを高精度とすることができ、高周波特性が安定した高周波リレーを提供することにある。
【００１０】
【課題を解決するための手段】
請求項１の発明では、アース端子に電気的接続されたアース接点部及び固定接点端子の固定接点部を配置したシールド空間をベース上に設け、該シールド空間内に、固定接点部に対して接触開離自在で且つ固定接点部から開離しているときにアース接点部に接触するように可動接点ばね板を配置するとともに、該可動接点ばね板を支持しているカードを駆動する電磁石ブロックをシールド空間外のベースに配設し、ベースの上面側におけるシールド空間の両端側に一対の側壁を立設した高周波リレーにおいて、ベースの各側壁の上端には、両側壁が並ぶ方向におけるカードの両端部に設けた回動枢軸部を回動自在に枢支してカードをシールド空間上方に橋架配置する支持手段が形成され、回動枢軸部は先部に正面断面が円形の軸部を備えるとともに、軸部の背部に下部の正面断面が逆三角形であって下端を軸部の中心の高さ位置に一致させた回動支点部を一体に備え、支持手段は側壁の上端面で回動支点部の下端に当接する支点台と、支点台に連続して側壁の上端部に形成され上端開放であって両側内面に軸部外面を回動自在に接面させる角孔とからなることを特徴とする。
【００１４】
請求項２の発明では、請求項１の発明において、上記軸部の断面円形部分を上下２分する位置よりも上方の周面に下部が一体となり、上面がカードの上面と同じ高さとなった補強リブを軸部の全長に亘って一体形成したことを特徴とする。
【００１５】
請求項３の発明では、請求項１の発明において、上記軸部の頂部に下部が一体となり、上面がカードの上面と同じ高さとなった補強リブを軸部の全長に亘って一体形成したことを特徴とする。
【００１６】
請求項４の発明では、請求項１乃至３の何れかの発明において、前記角孔の底部と、前記軸部の下端との間に隙間を設けて成ることを特徴とする。
【００１７】
請求項５の発明では、請求項１乃至４の何れかの発明において、前記ベース上に被着するケースの天井面に該カード側へ突出せる回動支持部を設け、前記ケースの天井面側に対向する前記カードの部位に、前記回動支持部がはまって該回動支持部のカード側の面で底部がカード自体の回転可能なように支持される凹み部を設けたことを特徴とする。
【００１８】
請求項６の発明では、請求項１乃至５の何れかの発明において、前記電磁石ブロックに備えられ、電磁石ブロックの励磁時に吸引されて動作する接極子により押される前記カードの位置と、電磁石ブロックの非励磁時に、前記カードを所定の位置へ復帰させる復帰ばねにより押される前記カードの位置とが該カードを挟んで対向する位置としたことを特徴とする。
【００１９】
請求項７の発明では、請求項６の発明において、上記カードは、成形のゲート跡が中心で且つ上記復帰ばねの配置位置よりも上方の位置となるようにゲートが設けられた成形金型を用いて成形された合成樹脂成形品からなることを特徴とする。
【００２０】
【発明の実施の形態】
以下本発明を一実施形態により説明する。
【００２１】
本実施形態は図１、図２に示すように合成樹脂成形材からなるベース１と、このベース１上に配設されるリレー機構部と、ベース１に被着する合成樹脂成形剤からなる箱状のケース２とで構成される。
【００２２】
リレー機構部の主要な構成である電磁石ブロック５は励磁コイル６を巻回したコイルボビン７と、コイルボビン７の中心透孔に貫挿させた鉄心８と、コイルボビン７の一端側にのぞいた鉄心８の一端を先部板面にかしめ固定して、この先部よりコイルボビン７に並行するように折り曲げてこの折曲片の先端をコイルボビン７の他端側に延長した継鉄９とから構成される。
【００２３】
この電磁石ブロック５は、コイルボビン７に設けたコイル端子１０、１０の下部を図４に示すようにベース１に設けた挿通孔１１よりベース１下面側に突出するようにベース１上に配置される。
【００２４】
電磁石ブロック５の励磁時に吸引駆動される接極子１２はＬ字状に曲げられた鉄片により形成され、一片１２ａをコイルボビン７の他端側に露出した鉄心８の他端に対向させるとともにその屈曲部の内隅を上記継鉄９の折曲片の先端に回動自在に当てるように配設される。また他片１２ｂの先端を後述するカード４の側面に当接させるようになっている。
【００２５】
ヒンジばね３は接極子１２の配設側のベース１上の一端部に設けた側壁２５の低位部１３に形成せる圧入溝１４に下部を圧入して配置され、一側端の上側より斜交いに延長形成した押さえ片３ａの先部で接極子１２の屈曲部の外隅を押圧して接極子１２の内隅部を継鉄９に押し当てて保持するようになっている。
【００２６】
電磁石ブロック５の配設部位と並行するベース１の片側上部には隔壁１５で電磁石ブロック５の配設部位と区切られ、隔壁１５及びベース１の一方側の側壁３６と両端の側壁２５とで囲まれたベース１上空間を接点部を内包するシールド部の配設部位としている。
【００２７】
このシールド部は並行配設される２枚のシールド板１６Ａ，１６Ｂから構成され、シールド部配設部位の両端側の側壁１５の内側面に沿うようにベース１上に図３（ａ）に示すように形成した各リブ１７の両側面に両シールド板１６Ａ，１６Ｂの両端部の対向面を接面させて配設される。
【００２８】
このリブ１７はベース１のシールド板１６Ａ，１６Ｂの位置決めを行うためのもので、両シールド板１６Ａ，１６Ｂの配設位置はリブ１７の成形精度により決まり、しかもシールド板１６Ａ，１６Ｂの対向面側を接面する構成であるためシールド板１６Ａ，１６Ｂの板厚のばらつきの影響を受けず、そのためシールド板１６Ａ，１６Ｂの内側の板面間距離を高精度に設定できる。
【００２９】
このシールド板１６Ａ，１６Ｂ間を２分する中心線上において、シールド板１６Ａ，１６Ｂの中央位置に対応する位置と、上記各リブ１７の近傍の位置とに図３（ａ）に示すように夫々設けた孔１８を介して固定接点端子１９ａ、１９ｂ、１９ｃを夫々貫設してあり、各固定接点端子１９ａ〜１９ｃの固定接点２０をシールド板１６Ａ，１６Ｂで囲まれた空間内に臨ませている。
【００３０】
ここでシールド部の配設部位の両端側にあるベース１の各側壁２５の上端には、接極子１２により駆動されるカード４の両端部に設けた回動枢軸部２１を支持してカード４をシールド部上方に橋架配置する支持部（支持手段）２２，２２を形成している。
【００３１】
カード４は可動接点ばね板２３Ａ，２３Ｂのインピーダンスに影響を与えるのを少なくし、特性インピーダンスの整合をとりやすくするために、空気の誘電率に近いテフロン（誘電率２．０）等の合成樹脂成形材料を使用した成形品からなり、上部両端面に回動枢軸部２１を一体形成するとともに下部両端部には可動接点ばね板２３Ａ，２３Ｂの中央部をインサート成形により支持したばね支持部２４を夫々設け、シールド部配設部位の上方に橋架配置されることで、可動接点ばね板２３Ａ，２３Ｂをシールド板１６Ａ，１６Ｂ間に配置するようになっている。
【００３２】
ここでカード４はベース１の両端側の側壁２５，２５の上端部に設けた支持部２２，２２により回動枢軸部２１が回動自在に支持されて橋架されるため、インサート成形によりばね支持部２４、２４に保持される可動接点ばね板２３Ａ，２３Ｂのベース１の上面に対する位置は高精度で設定されることになる。
【００３３】
回動枢軸部２１は図４（ａ）（ｂ）に示すように先部に正面断面が円形の軸部２１ａを形成するとともに、この軸部２１ａの背部に下部の正面断面が略逆三角形の回動支点部２１ｂを一体形成し、この回動支点部２１ｂの下端面を両側面にかけて円弧状の曲面としてその最下端位置を軸部２１ａの中心の高さ位置に一致させている。
【００３４】
一方、支持部２２は側壁２５の内側面に沿って形成されて上端面で回動支点部２１ｂを支持する支持台２２ａと、支持台２２ａに連続して側壁２５の上端部に形成され上端開放の角孔２２ｂとからなり、角孔２２ｂの両側内面間の距離を軸部２１ａの直径と同じとするとともに底部と上記回動支点部２１ｂの上端面の高さ位置までの距離を軸部２１ａの半径よりやや大きくし、軸部２１ａの下端と底部との間に隙間ができるようにしてあり、角孔２２ｂの両側内面と軸部２１ａとで左右方向のずれを防止し、また軸部２１ａを当接支持する角孔２２ｂの内面の高さ位置と支持台２２ａの高さ位置とを一致させている。
【００３５】
さてカード４の夫々のばね支持部２４にインサート成形により支持されている２枚の可動接点ばね板２３Ａ，２３Ｂは固定接点端子１９ａ〜１９ｃを結ぶ線の両側に偏倚配置されており、第１の可動接点ばね板２３Ａの両端部は中央の固定接点端子１９ａの固定接点２０の一面と、一端側の固定接点端子１９ｂの固定接点２０の一面とに対して夫々接触開離する可動接点を構成し、第２の可動接点ばね板２３Ｂの両端部は中央の固定接点端子１９ａの固定接点２０の他面と、他端側の固定接点端子１９ｂの固定接点２０の他面とに対して夫々接触開離する可動接点を構成するもので、これらの接触開離の動作はカード４の回動によって行われる。
【００３６】
シールド板１６Ａ，１６Ｂは夫々に近接する側の可動接点ばね板２３Ａ，２３Ｂのばね支持部２４を逃がすための逃げ部２６を中央から一端間の部位を反対方向へ曲げ加工により凹ませることで形成しており、この逃げ部２６両側のシールド板１６Ａ，１６Ｂの平坦面により可動接点ばね板２３Ａ，２３Ｂの両端部が固定接点２０より開離して移動したときに接触するアース接点部を構成する。
【００３７】
また各シールド板１６Ａ，１６Ｂは共に同じ形状であって、夫々２本のアース端子２７ａ，２７ｂを一体に形成している（図５、図６参照）。尚各シールド板１６Ａ、１６Ｂの夫々の端部から最も近いアース端子までの距離をアンテナ効果が生じないように開閉する信号の波長のλ／３０以下としている。
【００３８】
更にシールド板１６Ａ，１６Ｂはベース１に配設したときに固定接点端子１９ａと、１９ｂ又は１９ｃとの間に位置するように逃げ部２６の形成部位の一端にアース端子２７ａを形成しており、このアース端子２７ａは、逃げ部２６を形成する部位の一端部下端より内側方向に直角に折り曲げて、その先端がベース１に配設時に固定接点端子１８ａ〜１８ｃを結ぶ直線上に位置するように延長形成した幅広片２８ａの先端より更に下方に直角に折り曲げた垂下片２８ｂの下端部の一端から更に垂下延長した細幅の板片からなる。他方のアース端子２７ｂは逃げ部２６を形成する部位の他端近傍の逃げ部２６外の位置より内側方向に直角に折り曲げてその先端が、ベース１に配設時に固定接点端子１８ａ〜１８ｃを結ぶ直線上に位置するように延長形成した幅広片２８ａ’の先端より更に下方に直角に折り曲げた垂下片２８ｂ’の下端部の一端から更に垂下延長した細幅の板片からなる。
【００３９】
このように形成されたシールド板１６Ａ，１６Ｂは同形状であって、ベース１上に点対称的に配置することで、アース端子２７ａ、２７ｂを中央の固定接点端子１９ａと、端部の固定接点端子１９ｂ或いは１９ｃの間に配置することができるようになっている。
【００４０】
而してシールド板１６Ａ、１６Ｂをシールド部配設部位に配設する際には、それらの両端部の対向面を上述したようにリブ１７，１７の両側面に当接して位置決めするとともに、夫々の各アース端子２７ａ、２７ｂを一体形成している垂下片２８ｂ，２８ｂ’の幅に対応させてベース１に貫通させた挿通孔２９…を介して各アース端子２７ａ、２７ｂをベース１下面側に突出させるとともに垂下片２８ｂ又は２８ｂ’を挿通孔２９に挿入する。
【００４１】
そして上記のようにシールド板１６Ａ，１６Ｂをシールド部配設部位に配設した後に、ベース１の両端の側壁２５，２５の支持部２２にカード４の両端の回動枢軸部２１を回動自在に支持させてカード４をシールド部配設部位上方に橋架配設することで、可動接点ばね板２３Ａを固定接点端子１９ａ，１９ｂとシールド板１６Ａの逃げ部２６との間に、また可動接点ばね板２３Ｂを固定接点端子１９ａ、１９ｃとシールド板１６Ａの逃げ部２６との間に配置することができるのである。
【００４２】
カード４を橋架配設する場合は、側壁２５側の支持部２２の角孔２２ｂ内に上端開口より軸部２１ａを嵌めるとともに、支点台２２ａの上端面に回動支点部２１ｂを図７に示すように載置させることで、カード４はベース１の両端側壁間に橋架される。これにより角孔２２ｂと軸部２１ａとで水平方向の支持を、また支点台２２ａと回動支点部２１ｂとで上下方向の支持を分担し、且つ軸部２１ａの中心と支点台２２ａの上端面の位置を一致させることで１カ所で支持する場合に比べて確実に回動枢軸部２１を支持することができるようになっている。また軸部２１ａの下端が角孔２２ｂの底部より浮く状態にあるためベース１の成形時に発生するバリを逃がすことができる。
【００４３】
橋架配設したカード４は復帰ばね３１により常時シールド板１６Ａ方向に下部側面が押圧付勢される。この復帰ばね３１はベース１の側壁３６の片側内面に形成した圧入溝３２に基部３１ａを圧入し、基部３１ａの上部一端よりシールド板１６Ｂ方向へ延長形成したばね片３１ｂの先端をシールド板１６Ｂの上端より上方に位置するカード４の下部側面に弾接し、電磁石ブロック５が非励磁状態において、回動枢軸部２１を中心としてカード４を回動させて内側の可動接点ばね板２３Ａの両端部をシールド板１６Ａの逃げ部２６両端の近傍の板面に当接させ、外側の可動接点ばね板２３Ｂの両端部を固定接点端子１９ａ，１９ｃの固定接点２０，２０に接触させるようになっている。尚可動接点ばね板２３Ａ，２３Ｂの両端部の可動接点を構成する部位は二股に分割してある。
【００４４】
ここで図２（ａ）に示すように、ばね片３１ｂが押圧するカード４の側面部位の反対側の同じ位置にカード４の側面部位には接極子１２の他片１２ｂの先端が当接するようになっており、この当接部位及びばね片３１ｂの押圧部位が相対向して力のバランス（均衡）を図り、リレー動作が安定するようにしてある。また夫々の部位を図８に示すように側面より突出する凸部３３とし、ばね片３１ｂや他片１２ｂの当たる部分のずれを少なくして摩擦を防止している。
【００４５】
さてベース１に電磁石ブロック５，シールド板１６Ａ，１６Ｂ、固定接点端子１９ａ〜１９ｄ、可動接点ばね板２３Ａ，２３Ｂを含むカード４、接極子１２，ヒンジばね３，復帰ばね３１等のリレー機構部の部材を配設した後、復帰ばね３１やヒンジばね３のばね圧調整を行う場合には、これらばね３１，３が臨むベース１の側壁２５の開口２５ａや側壁３６の開口３６ａから容易に行うことができる。
【００４６】
ばね圧調整終了後ベース１の両端の側壁２５や両側の側壁３６を内部に収めるようにしてベース１にケース２を被着すれば、所望の高周波リレーが完成することになる。
【００４７】
尚ケース２の天井面には、カード４の上端面に２カ所設けてある凹み部３７に夫々がはまる１対の回動支持部３４を２組設けてある。夫々の対はケース２をベース１上に被着する際の両側方向が反対となってもケース２の長手（両端）方向の１対の回動支持部３４の下部が夫々に対応する凹み部３７にはまるようなっている。そしてカード４側の凹み部３７の底部の高さ位置は、上記回動枢軸部２１の回動支点部２１ｂの下端の位置と同じ高さ位置となっており、ケース２を被着したときに凹み部３７に回動支持部３４がはまり、ベース１側だけでなく、ケース２側からもカード３を回動自在に支持して、リレーの取付方向によらずカード４の回動動作を安定させ、高周波特性の安定化を図っている。尚凹み部３７の底部は回動支持部３４の下面に当接した状態でカード４が両側方向に回動できるような円弧面に形成してある。
【００４８】
次に上述のように構成された本実施形態の高周波リレーの動作を説明する。
【００４９】
まず電磁石ブロック１が非励磁の状態では、復帰ばね３１の付勢によりカード４は電磁石ブロック５側へ移動する方向に回動した状態にあり、可動接点ばね板２３Ａは両端部がシールド板１６Ａの内面にアース端子２７ａ、２７ｂを通じて接地される。
【００５０】
一方可動接点ばね板２３Ｂは両端部が固定接点端子１９ａ，１９ｃの固定接点２０、２０に接触して両固定接点端子１９ａ、１９ｃ間を導通させる。
【００５１】
次に電磁石ブロック５を励磁すると、鉄心８に接極子１２の一片１２ａが吸引され、接極子１２は回動する。この回動によりその他片１２ｂがカード４を押して、復帰ばね３１の付勢に抗して反電磁石ブロック５を方向に回動させる。この回動により可動接点ばね板２３Ｂは両端部が固定接点２０，２０から開離してシールド板１６Ｂの内面に接触してアース端子２７ａ、２７ｂを介して接地される。
【００５２】
一方可動接点ばね板２３Ａは両端部を固定接点端子１９ａ，１９ｂの固定接点２０、２０に接触して両固定接点端子１９ａ、１９ｂ間を導通させる。この状態が図２（ａ）の状態である。
【００５３】
電磁石ブロック５の励磁を止めると、復帰ばね３１の付勢によりカード４は下部が電磁石ブロック５側へ移動するように回動して、可動接点ばね板２３Ａの両端部がシールド板１６Ａの内面に接触し、可動接点ばね板２３Ｂの両端部が固定接点端子１９ａ，１９ｃの固定接点２０、２０に接触する状態に戻る。
（実施形態２）
上記実施形態１の回動枢軸部２１は図４（ａ）（ｂ）に示すように先部に正面断面が円形の軸部２１ａを形成するとともに、この軸部２１ａの背部に下部の正面断面が略逆三角形の回動支点部２１ｂを一体形成し、この回動支点部２１ｂの下端面を両側面にかけて円弧状の曲面としてその最下端位置を軸部２１ａの中心の高さ位置に一致させる構成としてあるが、軸部２１ａの回転支点部２１ｂに対する連結部分は回転支点部２１ｂに重なる部分のみであるため、強度的に弱く折損する恐れがあった。
【００５４】
そこで本実施形態では、軸部２１ａの断面を円形とせず、図９に示すように上記実施形態１における軸部２１ａの円形部分を上下２分する位置よりもやや上方の周面と下部が一体で上面がカード４の上面と同じ高さとなった補強リブ２１ｃを軸部２１ａの端面位置から回転支持部２１ｂの端面位置に至るまで一体形成し、軸部２１ａの強度を強めている。尚補強リブ２１ｃの両側側面を内向きに傾斜させ、回転支点部２１ｂによるカード４の回転動作に支障を与えないようにしてある。
【００５５】
強度補強を図るための補強リブ２１ｃを、図のように軸部２１ａの頂点部位において、軸部２１ａの端面から回転支持面２１ｂの端面位置に至るまで一体形成しても良い。
【００５６】
尚その構成は実施形態１と同じ構成であるため、ここでは特に図示しない。
（実施形態３）
本実施形態に用いるカード４は、成形する際において、成形されたカード４に残るゲート跡Ｘが図１１に示すようにカード４の中心で且つ復帰ばねの配置位置よりも上方の位置となるようにゲートが設けられた成形金型を用いて成形されている。
【００５７】
従って、本実施形態におけるカード４は成形樹脂の充填が左右両側とも安定した合成樹脂成形品より構成され、またゲート跡Ｘの凸部が復帰ばね３１に当たらず、動作が安定した高周波リレーを実現できる。
【００５８】
尚本実施形態では回転枢軸部２１の構成を実施形態２の図９の構成を採用し、また可動接点ばね板２３Ａは先端の可動接点部位の幅をその他の部位に比して広幅としてある。
【００５９】
その他の構成は実施形態１と同じ構成であるため、図１１において実施形態１と同じ構成には同じ符号を付し、また図示された構成の説明は実施形態１の説明を参照する。
【００６０】
【発明の効果】
請求項１の発明は、アース端子に電気的接続されたアース接点部及び固定接点端子の固定接点部を配置したシールド空間をベース上に設け、該シールド空間内に、固定接点部に対して接触開離自在で且つ固定接点部から開離しているときにアース接点部に接触するように可動接点ばね板を配置するとともに、該可動接点ばね板を支持しているカードを駆動する電磁石ブロックをシールド空間外のベースに配設し、ベースの上面側におけるシールド空間の両端側に一対の側壁を立設した高周波リレーにおいて、ベースの各側壁の上端には、両側壁が並ぶ方向におけるカードの両端部に設けた回動枢軸部を回動自在に枢支してカードをシールド空間上方に橋架配置する支持手段が形成され、回動枢軸部は先部に正面断面が円形の軸部を備えるとともに、軸部の背部に下部の正面断面が逆三角形であって下端を軸部の中心の高さ位置に一致させた回動支点部を一体に備え、支持手段は側壁の上端面で回動支点部の下端に当接する支点台と、支点台に連続して側壁の上端部に形成され上端開放であって両側内面に軸部外面を回動自在に接面させる角孔とからなるので、カードのベースに対する高さ方向の精度を高精度とすることができ、そのためシールド空間の底部と可動接点ばね板の下端との距離を小さくすることが可能となり、その結果シールド空間に臨む固定接点端子の部位を短くすることができるため、固定接点端子の垂直度の精度を高くすることができ、結果高周波特性が安定化するという効果がある。またリレーの低背が可能となり、サーフェースマント型リレーも端子間距離だけで対応できるという効果がある。さらにまた、回動支点部の下端を軸部の中心の高さ位置に一致させたので、カードの回動枢軸部の安定した支持が行え、更に高周波特性の安定化が図れる。また、支点台が回動支点部の下端に当接することにより、カードのベースに対する上下方向の位置の精度が向上し、結果カードに支持された可動接点ばね板の位置の精度もより向上し、高周波特性を一層安定化することができる。さらに、両側内面に軸部外面を回動自在に接面させる角孔を設けたので、カードのベースに並行する位置の精度が向上し、結果カードに支持された可動接点ばね板の位置の精度もより向上し、高周波特性の安定化が一層図れる。
【００６４】
請求項２の発明は、請求項１の発明において、上記軸部の断面円形部分を上下２分する位置よりも上方の周面に下部が一体となり、上面がカードの上面と同じ高さとなった補強リブを軸部の全長に亘って一体形成したので、また請求項３の発明は、請求項１の発明において、上記軸部の頂部に下部が一体となり、上面がカードの上面と同じ高さとなった補強リブを軸部の全長に亘って一体形成したので、軸部の強度を強くすることができ、軸部の折損が起きにくく高い信頼性を得ることができる。
【００６５】
請求項４の発明は、請求項１乃至３の何れかの発明において、前記角孔の底部と、前記軸部の下端との間に隙間を設けてあるので、成形材のばりの逃げが確保でき、カードの動作が確実となる。
【００６６】
請求項５の発明は、請求項１乃至４の何れかの発明において、前記ベース上に被着するケースの天井面に該カード側へ突出せる回動支持部を設け、前記ケースの天井面側に対向する前記カードの部位に、前記回動支持部がはまって該回動支持部のカード側の面で底部がカード自体の回転可能なように支持される凹み部を設けたので、リレーの取付方向によらず、カードの動作が安定し、高周波特性の安定化に寄与する。
【００６７】
請求項６の発明は、請求項１乃至５の何れかの発明において、前記電磁石ブロックに備えられ、電磁石ブロックの励磁時に吸引されて動作する接極子により押される前記カードの位置と、電磁石ブロックの非励磁時に、前記カードを所定の位置へ復帰させる復帰ばねにより押される前記カードの位置とが該カードを挟復帰ばね及び接極子がカードを押す位置が一致することになり、その結果力のバランスが良くなって安定した動作が得られ、高周波特性の安定化を一層図れる。
請求項７の発明は、請求項６の発明において、上記カードが、成形のゲート跡が中心で且つ上記復帰ばねの配置位置よりも上方の位置となるようにゲートが設けられた成形金型を用いて成形された合成樹脂成形品からなるので、成形樹脂の充填が左右両側とも安定した合成樹脂成形品によりカードが構成され、またゲート跡の凸部が復帰ばねに当たらず、動作が安定した高周波リレーを実現できる。
【図面の簡単な説明】
【図１】本発明の実施形態１の分解斜視図である。
【図２】（ａ）は同上の平面断面図である。
（ｂ）は（ａ）のＡ−Ａ断面矢視図である。
【図３】（ａ）は同上に用いるベースの上面図である。
（ｂ）は同上に用いるベースの正面断面図である。
（ｃ）は同上に用いるベースの正面図である。
（ｄ）は同上に用いるベースの側面断面図である。
【図４】（ａ）は同上の要部の一部省略せる拡大断面図である。
（ｂ）は同上の要部の一部省略せる拡大正面図である。
【図５】（ａ）は同上の一方のシールド板の正面図である。
（ｂ）は同上の他方のシールド板の正面図である。
【図６】同上のシールド板の構成説明図である。
【図７】同上のカードの回動枢軸部の支持部位の説明図である。
【図８】同上のカードの側面図である。
【図９】本発明の実施形態２の要部の説明図である。
【図１０】同上の他の例の要部の説明図である。
【図１１】本発明の実施形態３に用いるカードの拡大正面図である。
【図１２】一従来例の分解斜視図である。
【図１３】（ａ）の同上のケースを外した状態の平面図である。
（ｂ）は同上の正面断面図である。
【符号の説明】
１  ベース
２  ケース
３  ヒンジばね
４  カード
５  電磁石ブロック
１２  接極子
１５  隔壁
１６Ａ，１６Ｂ  シールド板
１９ａ〜１９ｃ  固定接点端子
２１  回動枢軸部
２２  回動支持部
２３Ａ，２３Ｂ  可動接点ばね板
２６  逃げ部
１７ａ、１７ｂ  アース端子
【図１】
0004182629.tif 000002
【図２】
0004182629.tif 000003
【図３】
0004182629.tif 000004
【図４】
0004182629.tif 000005
【図５】
0004182629.tif 000006
【図６】
0004182629.tif 000007
【図７】
0004182629.tif 000008
【図８】
0004182629.tif 000009
【図９】
0004182629.tif 000010
【図１０】
0004182629.tif 000011
【図１１】
0004182629.tif 000012
【図１２】
0004182629.tif 000013
【図１３】
0004182629.tif 000014